(57)【要約】      （修正有）【課題】紙裁断板によって容易かつ迅速に組立てて使用することができ、携帯が容易で、壁体、冷蔵庫の扉または食卓の底面に固定して安定的に使用可能なスティック型包装紙カッティング装置を提供する。【解決手段】カッティング装置は、紙裁断板によって形成されたカッティング本体１１０と、スティック型包装紙１０が挿入される挿入溝１２０と、Ｖ字形状に露出して包装紙を切断する刃部１３０と、カッティング本体を固定する取っ手部１４０と、壁体に固定する固定部１５０と、カッティング本体の底をカバーする底部とで構成され、包装紙が挿入溝の上端から挿入されて刃部によって斜線方向にカッティングされ、カッティングされた包装紙の上側一部はカッティング本体の内側に収去される。【選択図】図１
0003225110.tif 000002
【実用新案登録請求の範囲】
【請求項１】
切取線と折曲線が形成された紙裁断板を折り曲げて上端が開放形成された六面体状のカッティング本体と、
前記カッティング本体の前面に縦方向に一定深さで開口切断され、上端はテーパ状に広がったスティック型包装紙挿入溝と、
前記カッティング本体の上端から折り曲げられて前記スティック型包装紙挿入溝の後端に密着形成され、両羽根部が前記カッティング本体の角に形成された切取線で挿入固定され、前記スティック型包装紙挿入溝からＶ字形状に露出する刃部と、
前記カッティング本体の両側面上端から折り曲げられて両側面に切取形成された切取溝から露出形成されて延長する取っ手部と、
前記カッティング本体の後面上端から折り曲げられて後面後端に密着形成され、両羽根部が前記カッティング本体の角に形成された切取線で挿入固定され、後面の孔に相応して固定孔が形成された固定部と、
前記カッティング本体の後面下端から折り曲げられて下端をカバーする底部とを含み、スティック型包装紙が前記スティック型包装紙挿入溝の上端から挿入されて前記刃部によって斜線方向にカッティングされ、カッティングされたスティック型包装紙の上側一部は前記カッティング本体の内側に収去される、スティック型包装紙カッティング装置。
【請求項２】
前記刃部は、前記カッティング本体の後面に形成された刃収納口に挿入するように構成され、前記刃の交替が可能なことを特徴とする、請求項１に記載のスティック型包装紙カッティング装置。
【請求項３】
前記底部は、下側方向に連通する連通管が形成され、前記収去されたスティック型包装紙を外部に排出することを特徴とする、請求項１に記載のスティック型包装紙カッティング装置。
【請求項４】
前記底部には密着パッドまたは磁石パッドが形成され、当該底面に固定されることを特徴とする、請求項１に記載のスティック型包装紙カッティング装置。
【請求項５】
前記カッティング本体の後面には磁石パッドが形成されることを特徴とする、請求項１に記載のスティック型包装紙カッティング装置。
【請求項６】
前記カッティング本体の両側面内側には長さ方向にそれぞれ形成されたスライド溝と、前記スライド溝に挿入する分離板が形成され、スティック型包装紙と収去されたスティック型包装紙を分離して保管することを特徴とする、請求項１に記載のスティック型包装紙カッティング装置。
【請求項７】
前記刃部は、Ｖ字形状の刃と前記刃が固定形成された刃固定板とで構成されることを特徴とする、請求項１に記載のスティック型包装紙カッティング装置。
【請求項８】
前記カッティング本体の後面内側には、前記刃部に対向する紫外線殺菌照明が形成されることを特徴とする、請求項１に記載のスティック型包装紙カッティング装置。
【考案の詳細な説明】
【技術分野】
【０００１】
本考案は、スティック型包装紙カッティング装置に関し、さらに詳しくは、別途のはさみやナイフによってスティック型包装紙を煩わしくカットする必要がなく、紙裁断板によって容易かつ迅速に組み立てて使用することができ、携帯が容易で、壁体、冷蔵庫の扉または食卓の底面に固定して安定的に使用可能な、スティック型包装紙カッティング装置に関する。
【背景技術】
【０００２】
周知のように、保管と携帯が容易なスティック型包装紙を活用して多様な料粒型の内容物または液状型の内容物を包装して使い捨てで販売する。
【０００３】
このようなスティック型包装紙の内容物を摂取するためには、はさみやナイフの切断道具を探してカッティングしたりするが、専用のはさみやナイフを別途具備しない習慣により、毎回はさみやナイフを探さなければならない煩わしさがあり、他の用途でも使用されるはさみやナイフが衛生的でなく心理的な拒否感があるが、面倒くささで不可避に使用することになる。
【０００４】
そこで、はさみやナイフに代替して、スティック型包装紙をカッティングして開封するための専用カッティング器の製作が容易であり、使用上で携帯が容易で、かつ壁体や食卓に安定的に固定して便利かつ衛生的に使用可能なスティック型包装紙カッティング技術が要求される。
【先行技術文献】
【特許文献】
【０００５】
【特許文献１】韓国登録特許第１８９７５８８号公報（製品封止カッター部が具備されたコーヒー自動販売機。２０１８．０９．１３）
【考案の概要】
【考案が解決しようとする課題】
【０００６】
従って、本考案は、前述した従来の問題点を解決するために案出されたもので、本考案の実施例によると、スティック型包装紙をカッティングして開封するための専用カッティング器の製作が容易であり、使用上で携帯が容易で、かつ壁体や食卓に安定的に固定して便利かつ衛生的に使用可能なスティック型包装紙カッティング装置を提供することにその目的がある。
【課題を解決するための手段】
【０００７】
本考案の目的は、切取線と折曲線が形成された紙裁断板を折り曲げて上端が開放形成された六面体状のカッティング本体と、前記カッティング本体の前面に縦方向に一定深さで開口切断され、上端はテーパ状に広がったスティック型包装紙挿入溝と、前記カッティング本体の上端から折り曲げられて前記スティック型包装紙挿入溝の後端に密着形成され、両羽根部が前記カッティング本体の角に形成された切取線で挿入固定され、前記スティック型包装紙挿入溝からＶ字形状に露出する刃部と、前記カッティング本体の両側面上端から折り曲げられて両側面に切取形成された切取溝から露出形成されて延長する取っ手部と、前記カッティング本体の後面上端から折り曲げられて後面後端に密着形成され、両羽根部が前記カッティング本体の角に形成された切取線で挿入固定され、後面の孔に相応して固定孔が形成された固定部と、前記カッティング本体の後面下端から折り曲げられて下端をカバーする底部とを含み、スティック型包装紙が前記スティック型包装紙挿入溝の上端から挿入されて前記刃部によって斜線方向にカッティングされ、カッティングされたスティック型包装紙の上側一部は前記カッティング本体の内側に収去される、スティック型包装紙カッティング装置を提供して達成することができる。
【０００８】
ここで、前記刃部は、前記カッティング本体の後面に形成された刃収納口に挿入するように構成され、前記刃の交替が可能である。
【０００９】
また、前記底部は、下側方向に連通する連通管が形成され、前記収去されたスティック型包装紙を外部に排出することができる。
【００１０】
また、前記底部には密着パッドまたは磁石パッドが形成され、当該底面に固定されることができる。
【００１１】
さらに、前記カッティング本体の後面には磁石パッドが形成されることができる。
【００１２】
さらに、前記カッティング本体の両側面内側には長さ方向にそれぞれ形成されたスライド溝と、前記スライド溝に挿入する分離板が形成され、スティック型包装紙と収去されたスティック型包装紙を分離して保管することができる。
【００１３】
また、前記刃部は、Ｖ字形状の刃と前記刃が固定形成された刃固定板とで構成されることができる。
【００１４】
また、前記カッティング本体の後面内側には、前記刃部に対向する紫外線殺菌照明が形成されることもできる。
【考案の効果】
【００１５】
本考案によると、別途のはさみやナイフによってスティック型包装紙を煩わしくカッティングしなくても良く、紙裁断板によって容易かつ迅速に組立てて使用することができ、携帯が容易で、かつ壁体、冷蔵庫の扉または食卓の底面に固定して安定的に使用可能な効果がある。
【図面の簡単な説明】
【００１６】
【図１】本考案によるスティック型包装紙カッティング装置の斜視図を示したものである。
【図２】図１のスティック型包装紙カッティング装置の組み立て構造を示したものである。
【図３】図１のスティック型包装紙カッティング装置の刃部の変形例を示したものである。
【図４】図１のスティック型包装紙カッティング装置の底部の変形例を示したものである。
【図５】図１のスティック型包装紙カッティング装置の底部の変形例を示したものである。
【図６】図１のスティック型包装紙カッティング装置の分離板構成を示したものである。
【図７】図１のスティック型包装紙カッティング装置の展開図を示したものである。
【考案を実施するための形態】
【００１７】
以下では、本考案の実施例によるスティック型包装紙カッティング装置の構成及び機能について説明する。
【００１８】
図１は、本考案によるスティック型包装紙カッティング装置の斜視図を示したものであり、図２は、図１のスティック型包装紙カッティング装置の組み立て構造を示したものであり、図３は、図１のスティック型包装紙カッティング装置の刃部の変形例を示したものであり、図４及び図５は、図１のスティック型包装紙カッティング装置の底部の変形例を示したものであり、図６は、図１のスティック型包装紙カッティング装置の分離板構成を示したものであり、図７は、図１のスティック型包装紙カッティング装置の展開図を示したものである。
【００１９】
図１、図２及び図７を参照すると、本考案によるスティック型包装紙１０のカッティング装置は、全体的に、切取線Ａと折り曲げ線Ｂが形成された紙裁断板によって形成されたカッティング本体１１０と、スティック型包装紙１０が挿入されるスティック型包装紙挿入溝１２０と、Ｖ字形状に露出してスティック型包装紙１０を切断する刃部１３０と、カッティング本体１１０を固定する取っ手部１４０と、壁体に固定する固定部１５０と、カッティング本体１１０の底をカバーする底部１６０とで構成され、スティック型包装紙１０がスティック型包装紙挿入溝１２０の上端から挿入されて刃部１３０によって斜線方向にカッティングされ、カッティングされたスティック型包装紙１０の上側一部は、カッティング本体１１０の内側に収去されるようにすることを要旨とする。
【００２０】
先ず、カッティング本体１１０は、図７に示すように、切取線Ａと折り曲げ線Ｂが形成された紙裁断板を切り取り折り曲げて、図２に示すように、上端が開放形成された六面体状に形成される。ここで、カッティング本体１１０の上端は、前面方向に下に傾いて切取形成されることができる。
【００２１】
次に、スティック型包装紙挿入溝１２０は、図１に示すように、カッティング本体１１０の前面に縦方向に一定深さで開口して切断され、上端はテーパ状に広がりＣ、スティック型包装紙１０の円滑な挿入を誘導する。
【００２２】
次いで、刃部１３０は、図１及び図２に示すように、カッティング本体１１０の上端から折り曲げ線Ｂ１によって折り曲げられてスティック型包装紙の挿入溝１２０の後端に密着形成され、両羽根部１３１がカッティング本体１１０の角に形成された切取線Ａ１で挿入固定され、スティック型包装紙挿入溝１２０からＶ字形状で露出する。
【００２３】
ここで、図２の（ａ）に示すように、刃部１３０は、Ｖ字形状の刃１３２と、刃１３２が固定形成された刃固定板１３３とで構成されることができる。
【００２４】
即ち、刃１３２はＶ字形状に形成され、スティック型包装紙挿入溝１２０に挿入されるスティック型包装紙１０を斜線方向に引っ張る動作によりスティック型包装紙１０の上端一側を自然と切断して開封することができる。
【００２５】
一方、刃１３２の斜線方向の切断により、スティック型包装紙１０に収容された料粒型または液状型の内容物の離脱を防止することができる。
【００２６】
次に、取っ手部１４０は、図１、図２及び図７に示すように、カッティング本体１１０の両側面上端から折り曲げ線Ｂ２によって折り曲げられて、両側面に切取形成された切取溝Ａ２から露出形成されて延長する。
【００２７】
そこで、取っ手部１４０の巻き取りにより、スティック型包装紙１０のカッティング時にカッティング本体１１０を安定的に固定させることができる。
【００２８】
次いで、固定部１５０は、図１、図２及び図７に示すように、カッティング本体１１０の後面上端から折り曲げ線Ｂ３に沿って折り曲げられて後面後端に密着形成され、両羽根部１５１がカッティング本体１１０の角に形成された切取線Ａ３で挿入固定され、後面の孔１１１に相応して固定孔１５２が形成される。
【００２９】
ここで、固定孔１５２は、壁体から延長形成した固定体（図示せず）に引き置き使用可能にする。
【００３０】
次に、底部１６０は、図２及び図７に示すように、カッティング本体１１０の後面下端から折り曲げ線Ｂ４によって折り曲げられてカッティング本体の下端をカバーする。
【００３１】
一方、図３に示すように、刃部１３０は、カッティング本体１１０の後面に形成された刃収納口１３４に挿入するように構成され、損傷された刃の交替を容易に行うことができるようにする。
【００３２】
また、図４に示すように、底部１６０は、下側方向に連通する連通管１６１が形成され、カッティング本体１１０の内側の収去されたスティック型包装紙１０を外部の収去箱（図示せず）に円滑に排出することもできる。
【００３３】
さらに、図５の（ａ）に示すように、底部１６０には一対の密着パッド１６２が形成されてカッティング本体１１０を当該底面に安定的に固定させるか、図５の（ｂ）に示すように、磁石パッド１６３が形成されてカッティング本体１１０を当該底面に安定的に固定させることができる。
【００３４】
また、図示してはいないが、カッティング本体１１０の後面には磁石パッドが形成され、金属材質の壁体に自由にカッティング本体１１０の引き置き位置を変更して安定的に固定させることもできる。
【００３５】
さらに、図６に示すように、カッティング本体１１０の両側面内側には長さ方向にそれぞれ形成されたスライド溝１１２と、スライド溝１１２に挿入する分離板１１３が形成され、第１分離空間１１３ａにはカッティング前のスティック型包装紙１０を保管し、第２分離空間１１３ｂには切断して収去されたスティック型包装紙１０を分離して保管するようにして、カッティング本体１１０の空間活用性を高めることもできる。
【００３６】
また、図示してはいないが、カッティング本体１１０の後面内側には刃部１３に対向する紫外線殺菌照明が形成され、長期間露出する刃１３２を殺菌するようにして衛生的に使用可能にすることもできる。
【００３７】
従って、前述したようなスティック型包装紙カッティング装置の構成により、別途のはさみやナイフによってスティック型包装紙を煩わしくカッティングしなくても良く、紙裁断板によって容易かつ迅速に組立てて使用することができ、携帯が容易で、壁体、冷蔵庫の扉または食卓の底面に固定して安定的に使用することができる。
【００３８】
一方、上記で説明された装置は、説明された実施例の構成が限定して適用されるものではなく、実施例は多様な変形がなされるように各実施例の全部または一部が選択的に組み合わせられて構成されることもできる。
【符号の説明】
【００３９】
１０    ：スティック型包装紙
１１０  ：カッティング本体
１１１  ：孔
１１２  ：スライド溝
１１３  ：分離板
１１３ａ：第１分離空間
１１３ｂ：第１分離空間
１２０  ：スティック型包装紙挿入溝
１３０  ：刃部
１３１  ：両羽根部
１３２  ：刃
１３３  ：刃固定板
１３４  ：刃収納口
１４０  ：取っ手部
１５０  ：固定部
１５１  ：両羽根部
１５２  ：固定孔
１６０  ：底部
１６１  ：連通管
１６２  ：密着パッド
１６３  ：磁石パッド
【図１】
0003225110.tif 000003
【図２】
0003225110.tif 000004
【図３】
0003225110.tif 000005
【図４】
0003225110.tif 000006
【図５】
0003225110.tif 000007
【図６】
0003225110.tif 000008
【図７】
0003225110.tif 000009
【手続補正書】
【提出日】令和1年12月2日(2019.12.2)
【手続補正１】
【補正対象書類名】実用新案登録請求の範囲
【補正対象項目名】全文
【補正方法】変更
【補正の内容】
【実用新案登録請求の範囲】
【請求項１】
切取線と折曲線が形成された紙裁断板を折り曲げて上端が開放形成された六面体状のカッティング本体と、
前記カッティング本体の前面に縦方向に一定深さで開口切断され、上端はテーパ状に広がったスティック型包装紙挿入溝と、
前記カッティング本体の上端から折り曲げられて前記スティック型包装紙挿入溝の後端に密着形成され、両羽根部が前記カッティング本体の角に形成された切取線で挿入固定され、前記スティック型包装紙挿入溝からＶ字形状に露出する刃部と、
前記カッティング本体の両側面上端から折り曲げられて両側面に切取形成された切取溝から露出形成されて延長する取っ手部と、
前記カッティング本体の後面上端から折り曲げられて後面後端に密着形成され、両羽根部が前記カッティング本体の角に形成された切取線で挿入固定され、後面の孔に相応して固定孔が形成された固定部と、
前記カッティング本体の後面下端から折り曲げられて下端をカバーする底部とを含み、スティック型包装紙が前記スティック型包装紙挿入溝の上端から挿入されて前記刃部によって斜線方向にカッティングされ、カッティングされたスティック型包装紙の上側一部は前記カッティング本体の内側に収去される、スティック型包装紙カッティング装置。
【請求項２】
前記刃部は、前記カッティング本体の後面に形成された刃収納口に挿入するように構成され、前記刃部の交替が可能なことを特徴とする、請求項１に記載のスティック型包装紙カッティング装置。
【請求項３】
前記底部は、下側方向に連通する連通管が形成され、前記収去されたスティック型包装紙を外部に排出することを特徴とする、請求項１に記載のスティック型包装紙カッティング装置。
【請求項４】
前記底部には密着パッドまたは磁石パッドが形成され、当該底部に固定されることを特徴とする、請求項１に記載のスティック型包装紙カッティング装置。
【請求項５】
前記カッティング本体の後面には磁石パッドが形成されることを特徴とする、請求項１に記載のスティック型包装紙カッティング装置。
【請求項６】
前記カッティング本体の両側面内側には長さ方向にそれぞれ形成されたスライド溝と、前記スライド溝に挿入する分離板が形成され、スティック型包装紙と収去されたスティック型包装紙を分離して保管することを特徴とする、請求項１に記載のスティック型包装紙カッティング装置。
【請求項７】
前記刃部は、Ｖ字形状の刃と前記刃が固定形成された刃固定板とで構成されることを特徴とする、請求項１に記載のスティック型包装紙カッティング装置。
【請求項８】
前記カッティング本体の後面内側には、前記刃部に対向する紫外線殺菌照明が形成されることを特徴とする、請求項１に記載のスティック型包装紙カッティング装置。